(57)【要約】      （修正有）【課題】結婚日取りでカップルの幸運な日や相性の良い日を簡単に見出せるようにすること、及び式場側でも大安の日に集中させず他の日においても利用できる。【解決手段】１年分の月別の曜日と日付を示したベースカレンダーの一つの側面を除き他の側面に位置合わせ機能を兼ねたガイド手段を設けた本体部と、占星術に基づく１２星座における各星座毎に、それぞれ少なくとも複数の幸運の日を別々の表示で示した１２枚の透明または半透明なフィフル材やシート材で、前記ベースカレンダーと略同じ大きさに形成された星座カレンダーとからなり、カップルの一致する幸運の日を検索する際に対応する２枚の星座カレンダーを重ねて前記本体部の一つの側面から装着してベースカレンダーと重ね合せて見ることことができる構成にしたことを特徴とする相性カレンダーであり、２枚の星座カレンダーに幸運の日が表示されているので、その表示が一致する日を一目して判る。【選択図】図３
2011028484.tif 000002
【特許請求の範囲】
【請求項１】
１年分の月別の曜日と日付を示した所要厚さのボードまたはシート材からなるベースカレンダーの一つの側面を除き他の側面に位置合わせ機能を兼ねたガイド手段を設けた本体部と、
占星術に基づく１２星座における各星座毎に、それぞれ少なくとも複数の幸運の日を別々の表示で示した１２枚の透明または半透明なフィフル材やシート材で、前記ベースカレンダーと略同じ大きさに形成された星座カレンダーとからなり、
祝宴を予定しているカップルの一致する幸運の日を検索する際に、カップルの星座に対応する２枚の星座カレンダーを重ねて前記本体部の一つの側面から装着してベースカレンダーと重ね合せて見ることことができる構成にしたこと
を特徴とする相性カレンダー。
【請求項２】
前記本体部のベースカレンダーには、六曜の表示がなされていること
を特徴とする請求項１に記載の相性カレンダー。
【請求項３】
前記複数の幸運の日を示す別々の表示は、恋愛運の赤いハートマークや、金運の金色の星マークや仕事運の青い若葉マークであること
を特徴とする請求項１に記載の相性カレンダー。
【発明の詳細な説明】
【技術分野】
【０００１】
本発明は、例えば、結婚式場などで挙式日を選ぶ場合に、星座占いの要素を取り入れて二人の相性の良い日を選べるようにしたカレンダーに関するものである。
【背景技術】
【０００２】
一般的にカレンダーには各月と日付と曜日とが記載されると共に、六曜の大安、赤口、先勝…などが記載されている。そして、結婚式などのお祝い事では、結婚式場に出向いて行ってカレンダー上で縁起の良い日として大安の日を選ぶことが多い。しかし、大安の日は誰でもが望むものであるため、申し込みが集中するので混雑するが、その他の日はそれなりに空いていることが多いのが現実である。また、結婚する二人の生年月日による運勢や相性などを占って日取りを決める場合もある。
【０００３】
そのような運勢や相性について、例えば、占星術の星座に基づく恋愛運や金運などの幸運をもたらす日を１年を通じて月毎に記載したカレンダーが複数公知になっている。
公知に係る第１のカレンダーとしては、曜日の表示をその上部に横書きに配列し、日を横書きに１週間で折り返して下方向に繰り返し配列した暦表示部を有する月別表示のカレンダーであって、前記暦表示部が、枠線で升目に構成された中に各々の日が表示されるように構成され、且つ、前記各升目の中に、占星術の１２星座を表示する表示手段と、該１２星座の持つ幸運な項目を所定の表示手段でもって表示してあるカレンダーであり、幸運な項目が恋愛運、金運及び仕事運を含むとしている（特許文献１参照）。
【０００４】
そして、通常の暦を表示する月別表示のカレンダーでありながら、これに占星術の１２星座を表示する表示手段と、その１２星座の持つ幸運な項目を表示する表示手段を備えることによって、１種のカレンダーでもって１２星座の人の個別の占い情報が得られるというものである。
【０００５】
また、公知に係る第２のカレンダーとしては、同一の面に、一あるいは複数の日の日付と、星座占いあるいは血液型占いによるその日の運勢が判読できる様に書かれた結果を表示する既述とが、上下あるいは左右に分けられている運勢カレンダーであり、個人の毎日の運勢が書かれているというものである（特許文献２参照）。
【０００６】
そして、種々雑多の情報が氾濫し不安な日々を送っている方々に、その日の運勢を知ることによりその不安から開放された、楽しく過ごす日々を提供することが出来るというものである。
【先行技術文献】
【特許文献】
【０００７】
【特許文献１】特開２００６−１７５８４２号公報
【特許文献２】実用新案登録第３０９２８２６号公報
【発明の開示】
【発明が解決しようとする課題】
【０００８】
ところで、これら公知のカレンダーにおいては、星座占いによる運勢について幸運の日を文字で表記したものであり、各個人は自己の星座に基づきそれぞれ個別に幸運の日を探して見ることが出来るが、例えば、結婚しようとする一致する幸運な日が見つかるまでは時間が掛かるし、予定した月日近くで二人の一致する幸運な日が見つかっても六曜に拘って日取りが決められない等の問題がある。
【０００９】
また、結婚式場側でも、六曜の大安の日は何ヶ月も前から予約は入るが、その他の日では、例えば、大安の日の予約が一杯になっているので、やむを得ず先勝や友引の日を選ぶことになるのであり、それ以外の六曜の日は予約が少ないので、式場側では営業効率を上げるために割引などのサービスを行っているのが実情である。
【００１０】
しかしながら、仮に、縁起を担いで大安の日を選んだとしても、結婚する二人にとっての相性が占星術における星座占いによれば最悪の日であったりすることがあり、必ずしも六曜一辺倒の日取りが適正とはいえない場合があり、また、式場側においても、大安の日だけに集中するのではなく、出来るだけその他の日であっても、同じように利用して貰うことを要望している。
【００１１】
特に、前記公知技術においては、通常の暦を表示する月別表示のカレンダーで、これに占星術の１２星座を表示する表示手段と、その１２星座の持つ幸運な項目を表示する表示手段を備え、１種のカレンダーで１２星座の人の個別の占い情報が得られるというものであるが、１つの日付に１２星座分の個別の占い情報が記載されることになり、その記載内容が複雑であって、読み取り難いばかりでなく、例えば、結婚しようとする二人の一致する幸運な日や相性の良い日を見出すことは極めて困難である。
【００１２】
従って、前記いずれの公知技術においても、結婚しようとする二人の一致する幸運な日や相性の良い日を簡単に見出せるようにすること、及び、式場側においても大安の日に集中させず、他の日においても利用されるようにして稼働効率を上げるようにすることに解決課題を有している。
【課題を解決するための手段】
【００１３】
本発明は、前記課題を解決する具体的手段として、１年分の月別の曜日と日付を示した所要厚さのボードまたはシート材からなるベースカレンダーの一つの側面を除き他の側面に位置合わせ機能を兼ねたガイド手段を設けた本体部と、占星術に基づく１２星座における各星座毎に、それぞれ少なくとも複数の幸運の日を別々の表示で示した１２枚の透明または半透明なフィフル材やシート材で、前記ベースカレンダーと略同じ大きさに形成された星座カレンダーとからなり、祝宴を予定しているカップルの一致する幸運の日を検索する際に、カップルの星座に対応する２枚の星座カレンダーを重ねて前記本体部の一つの側面から装着してベースカレンダーと重ね合せて見ることことができる構成にしたことを特徴とする相性カレンダーを提供するものである。
【００１４】
本発明に係る相性カレンダーにおいて、前記本体部のベースカレンダーには、六曜の表示がなされていること；及び前記複数の幸運の日を示す別々の表示は、恋愛運の赤いハートマークや、金運の金色の星マークや仕事運の青い若葉マークであること；を付加的な要件として含むものである。
【発明の効果】
【００１５】
本発明に係る相性占いカレンダーによれば、透明または半透明なフィフル材やシート材で形成された星座カレンダーを、祝宴を予定しているカップルの２枚の星座カレンダーを重ね合わせて見ることにり。２枚の星座カレンダーに幸運の日が表示されているので、その表示が一致する日は一目して判るのであり、祝宴を予定しているカップルにとって六曜に拘ることなく祝宴の日を選ぶことが容易になり、また、式場関係者にとって予約しようとするカップルにおいて、一致する幸運の日が見つかれば、その日が大安でなくてもカップルにとって祝宴に好ましい日であることを勧めることで営業効率を上げることが出来るという優れた効果を奏する。
【図面の簡単な説明】
【００１６】
【図１】本発明に係る好ましい実施の形態に係る相性カレンダーの本体部を示す平面図である。
【図２】同実施の形態に係る相性カレンダーの本体部におけるＡ−Ａ線断面図である。
【図３】同実施の形態に係る相性カレンダーにおける１２星座の内の、例えば、一例の獅子座の幸運の日を図形で示したカレンダーの平面図である。
【発明を実施するための形態】
【００１７】
本発明を図示の実施の形態に基づいて説明する。図１と図２において、相性カレンダーの本体部１は、通常の１年分の月別の曜日と日付を示した所要厚さのボードまたはシート材からなるベースカレンダー２と、該ベースカレンダー２の、図において、上下両端部と左側端部に位置合わせ機能を兼ねた断面コ字状のガイド縁部（手段）３、４、５を設け、右側端部は単に帯状の縁部６を重ねるように設けることで全体が一連の額縁状に構成され、前面側と右側面側だけが開口するように形成される。そして、開口する右側面側から後述する１２星座のシート状カレンダーが出し入れできるようになっている。なお、必要があれば、額縁状の前面側に透明なフィルム材を配設しても良い。
【００１８】
また、ベースカレンダー２には、例えば、各日付毎に六曜の大安、先勝、赤口などの記載がされており、曜日の表示と数字は、解りやすくするために、日曜日は赤で土曜日は青でその他は黒で記載されている。
【００１９】
図３に示した一例の獅子座カレンダーは、要するに、星座カレンダー７であり、該星座カレンダー７は、透明または半透明なフィルム材またはシート材で形成されたものであって、前記ベースカレンダー２と完全に一致する月別の１年分のカレンダーであり、その星座カレンダー７に、一例として獅子座の少なくとも幸運を示す幾つかのマーク、例えば、恋愛運の日を赤いハートマーク１１で表示し、金運の日を金色の星マーク１２で示し、仕事運の日を青の若葉マーク１３で示したものである。
【００２０】
なお、星座カレンダー７は、占星術における１２星座の内の一例として獅子座カレンダーを示したが、その他の牡羊座カレンダー、牡牛座カレンダー、双子座カレンダーなどについてもそれぞれ幸運を示す日を同様のマークを用いて示したものを１２星座分の星座カレンダー７が１組として前記本体部１とセットになっている。
【００２１】
このような構成の相性カレンダーを、例えば、結婚式場に用意しておき、結婚式の予約に来た二人（カップル）の希望する日時を聞いて、例えば、大安の日を予約したいと申し出たときに、カップルの生年月日を聞くと共に、占星術による二人の一致する幸運の日に挙式した方が良いことを説明し、それに同意したら、生年月日から男性が獅子座で女性が双子座であることを確認して、１２星座の星座カレンダー７の内から対応する獅子座カレンダーと双子座カレンダーとを取り出し、それらのカレンダーに記したマークの意味を説明し、カップルの一致する幸運の日が何処なのかを検索する。
【００２２】
その場合に、獅子座カレンダーと双子座カレンダーとを重ね合わせて、前記本体部１に開口する一つの側面（右側面）から装着することにより、両星座カレンダーが位置合わせを兼ねたガイド手段によりベースカレンダー２と略一致し、両星座カレンダーが透明または半透明であることから、ベースカレンダー２の記載事項が透けて見えると共に、両星座カレンダーの表示マークも透けて見えるのである。
【００２３】
その状態で、両星座カレンダーのハートマーク１１が重なる日が好ましいが、その重なった日が大安の日でなくても、カップルが挙式する上で占星術では相性が良く幸運の日であることを説明して、了解が得られたら、その日を予約させるようにすれば、大安の日に予約が集中することはなくなると考えられる。
【００２４】
また、仮に、予定した日時近くで、ハートマークが重なった日がたまたま仏滅の日であったり、ハートマークが重ならない場合もあるが、そのような場合には、例えば、男性側の獅子座カレンダーにおける金運の星マーク１２と女性側の双子座カレンダーのハートマーク１１とが重なる日を選ぶか、その逆であっても良いのでいずれも幸運の日として一致した日を挙式日とすることが好ましいので、少なくとも拘る人については仏滅の日を避けて、その日が大安でなくても当事者が納得して予約する運びとなれば良いのである。
【００２５】
さらに、式場の営業担当者は、上記の相性カレンダーを鞄に入れて持ち歩き、出先において日取りを決める際に、前記と同様にして結婚するカップルの一致する幸運の日を挙式日と決めて予約を受けることにより、大安の日に集中しないで平均的に予約が拡散することで営業稼働率を挙げることができるのである。
【００２６】
また、予約して挙式する運びとなったカップルには、本体部１と二人の星座カレンダーとを記念として差し上げ、その後に大きな買い物（自動車や住まいなど）をするときなどにも、幸運の日を選んで契約するなどにも使用することができるし、例えば、家族で旅行する時なども、家族それぞれの星座カレンダーを複数枚重ねて幸運の日を選ぶことが出来るのである。
【産業上の利用可能性】
【００２７】
本発明に係る相性カレンダーは、前記したように、主として結婚しようとするカップルが挙式の日取りを決める際に、六曜の大安の日に拘ることなく、占星術による１２星座によるカップルの一致する幸運の日を選択することができるようにしたものであり、そのために各星座毎の星座カレンダーに、それぞれ少なくとも幸運の日に、恋愛運の赤いハートマークや、金運の金色の星マークや仕事運の青い若葉マークなどを表示し、カップルの星座カレンダーを重ね合わせることで、両者の一致する幸運の日が直ぐに判るのであり、特に、結婚式場の予約などで使用できるばかりでなく、その他の催し会場の予約などにも広く利用できるし、その他に、例えば、他の占術である四柱推命、血液型占い、風水などの各シートを同じように作成して利用することができるのである。
【符号の説明】
【００２８】
１  本体部
２  ベースカレンダー
３、４、５  断面コ字状のガイド縁部（位置合わせを兼ねたガイド手段）
６  帯状の縁部
７  一例の星座カレンダー
１１  恋愛運の日を赤いハートマーク
１２  金運の日を金色の星マーク
１３  仕事運の日を青の若葉マーク
【図１】
2011028484.tif 000003
【図２】
2011028484.tif 000004
【図３】
2011028484.tif 000005